(57)【要約】      （修正有）【課題】住宅の負荷へ交流電力を供給している常用電源の停電時、発電機からの交流電力を負荷へ供給できるようにする住宅用の手動式電源切換え装置を提供。【解決手段】常用電源と非常用電源との切換え開閉器（１）と、その切換え開閉器（１）の常用１次側固定端子（３ａ）（３ｂ）（３ｃ）から漏電ブレーカー（１６）を介して分岐配線された常用パイロットランプ（１８）並びに同じく非常用１次側固定端子（８ａ）（８ｂ）（８ｃ）から漏電ブレーカ（９）を介して分岐配線された非常用パイロットランプ（１３）とから成り、常用１次側固定端子と２次側固定端子（５ａ）（５ｂ）（５ｃ）との接続使用中に停電した時、上記開閉器（１）の手動切換えスイッチ（１１）を非常用１次側固定端子との接続状態に切換え操作して、非常用パイロットランプを点灯させると共に、停電の復旧したことを常用パイロットランプの点灯により知る。【選択図】図３
0003113914.tif 000002
【実用新案登録請求の範囲】
【請求項１】
住宅の引込み幹線（４ａ）（４ｂ）（４ｃ）に接続される常用１次側固定端子（３ａ）（３ｂ）（３ｃ）と、インバーター発電機（１０）に接続配線される非常用１次側固定端子（８ａ）（８ｂ）（８ｃ）と、住宅の負荷（７）に接続配線される２次側固定端子（５ａ）（５ｂ）（５ｃ）と、上記常用１次側固定端子（３ａ）（３ｂ）（３ｃ）と非常用１次側固定端子（８ａ）（８ｂ）（８ｃ）とを選択的に２次側固定端子（５ａ）（５ｂ）（５ｃ）へ接続する手動切換えスイッチ（１１）とが設置された電源切換え開閉器（１）と、
その切換え開閉器（１）の常用１次側固定端子（３ａ）（３ｂ）（３ｃ）から漏電ブレーカー（１６）を介して分岐配線された常用パイロットランプ（１８）並びに同じく非常用１次側固定端子（８ａ）（８ｂ）（８ｃ）から漏電ブレーカー（９）を介して分岐配線された非常用パイロットランプ（１３）とから成り、
上記常用１次側固定端子（３ａ）（３ｂ）（３ｃ）と２次側固定端子（５ａ）（５ｂ）（５ｃ）との接続使用中に停電した時、上記手動切換えスイッチ（１１）を非常用１次側固定端子（８ａ）（８ｂ）（８ｃ）との接続状態に切換え操作し、非常用パイロットランプ（１３）を点灯させると共に、停電の復旧を上記常用パイロットランプ（１８）の点灯により知得するように定めたことを特徴とする住宅用の手動式電源切換え装置。
【請求項２】
電源切換え開閉器（１）と常用漏電ブレーカー（１６）並びに非常用漏電ブレーカー（９）とが並列された共通の受け台（２１）を、専用キャビネット（Ｃ）の本体（２２）内に取り付け固定する一方、そのキャビネット本体（２２）の開閉カバー（２３）へ常用パイロットランプ（１８）と非常用パイロットランプ（１３）との一対を並列設置することにより、住宅用分電盤（Ｂ）と別個独立して既設住宅の壁面へ後付け使用できるように定めたことを特徴とする請求項１記載の住宅用の手動式電源切換え装置。
【請求項３】
電源切換え開閉器（１）の器体（２）と両漏電ブレーカー（９）（１６）並びに両パイロットランプ（１３）（１８）を、住宅用分電盤（Ｂ）の既設契約ブレーカー（２０）並びに主幹開閉器（６）と一緒に、その相互間へ介在する接続配線状態として組込みユニット化したことを特徴とする請求項１記載の住宅用の手動式電源切換え装置。
【考案の詳細な説明】
【技術分野】
【０００１】
本考案は住宅の負荷へ交流電力を供給している常用電源の停電時、発電機からの交流電力を負荷へ供給できる手動式の電源切換え装置に関する。
【背景技術】
【０００２】
一般に、住宅への引込み幹線には契約ブレーカーや分電盤が設置されているが、常用電源から非常用電源への切換え装置は取り付け使用されていない現状である。
【考案の開示】
【考案が解決しようとする課題】
【０００３】
そのため、住宅の電灯やコンセント、その他の負荷へ交流電力を供給している常用電源が、風水害や地震などに起因して遮断された停電時には、電力会社による復旧工事を待つか、或いは非常用電源となるポータブル発電機を入手して、応急的に接続使用しなければならない。
【０００４】
ところが、特に山間地域では復旧工事に長時間を要することとなり、又発電機を急拠入手することも容易でない結果、一般家庭にとってはもとより、集会所（公民館）や災害避難場所、消防の詰め所などにとっても、著しい不安と不便を余儀なくされるのである。
【課題を解決するための手段】
【０００５】
本考案はこのような課題の改良を目的としており、その目的を達成するために、請求項１では住宅の引込み幹線に接続される常用１次側固定端子と、インバーター発電機に接続配線される非常用１次側固定端子と、住宅の負荷に接続配線される２次側固定端子と、上記常用１次側固定端子と非常用１次側固定端子とを選択的に２次側固定端子へ接続する手動切換えスイッチとが設置された電源切換え開閉器と、
【０００６】
その切換え開閉器の常用１次側固定端子から漏電ブレーカーを介して分岐配線された常用パイロットランプ並びに同じく非常用１次側固定端子から漏電ブレーカーを介して分岐配線された非常用パイロットランプとから成り、
【０００７】
上記常用１次側固定端子と２次側固定端子との接続使用中に停電した時、上記手動切換えスイッチを非常用１次側固定端子との接続状態に切換え操作して、非常用パイロットランプを点灯させると共に、停電の復旧を上記常用パイロットランプの点灯により知得するように定めたことを特徴とする。
【０００８】
又、上記請求項１に従属する請求項２では、電源切換え開閉器と常用漏電ブレーカー並びに非常用漏電ブレーカーとが並列された共通の受け台を、キャビネット本体の内部に取り付け固定する一方、そのキャビネット本体の開閉カバーへ常用パイロットランプと非常用パイロットランプとの一対を並列設置することにより、住宅用分電盤と別個独立して既設住宅の壁面へ後付け使用できるように定めたことを特徴とする。
【０００９】
更に、同じく請求項１に従属する請求項３では、電源切換え開閉器の器体と両漏電ブレーカー並びに両パイロットランプを、住宅用分電盤の既設契約ブレーカー並びに主幹開閉器と一緒に、その相互間へ介在する接続配線状態として組込みユニット化したことを特徴とする。
【考案の効果】
【００１０】
請求項１の上記構成では電源切換え開閉器の手動切換えスイッチを、常用１次側固定端子と２次側固定端子との接続状態に操作しておくことにより、常用電源から２次側の負荷へ交流電力を供給することができ、その常用電源が万一風水害や地震などに起因して遮断された停電時には、上記手動切換えスイッチを切換え開閉器の常用１次側固定端子から非常用１次側固定端子へ切換え操作して、その非常用１次側固定端子と２次側固定端子とを接続させることにより、非常用電源のインバーター発電機から２次側の負荷へ交流電力を供給できるため、特に風水害を受けやすくも、復旧工事の困難な山間地域での不安と不便を解消し得る効果がある。
【００１１】
その非常用電源のインバーター発電機から負荷へ交流電力を供給中は、非常用パイロットランプの点灯によって表示されるが、電力会社の復帰工事が完了するや否や、常用パイロットランプが点灯するため、その表示によって復電したことを知ることができ、省エネルギー効果と利便性に優れる。
【００１２】
しかも、非常用電源はインバーター制御される発電機から成るため、負荷側のテレビ受像機やパソコン、その他の各種電気通信機械器具を支障なく安定裡に使うことができる。
【００１３】
又、請求項２の構成を採用するならば、本考案の電源切換え装置を住宅用分電盤と別個独立の製品として、既設住宅の壁面へ容易に後付け使用することができ、利便性がますます向上する。
【００１４】
更に、請求項３の構成を採用するならば、本考案の電源切換え装置を住宅用分電盤の内部へ組込みユニット化することもでき、新らしい分電盤として提供し得る効果がある。
【考案を実施するための最良の形態】
【００１５】
以下、図面に基いて本考案の構成を具体的に詳述すると、図１、２はその物理的な電源切換え装置を、図３は同じく使用状態の電気配線を各々示しており、（１）は常用電源と非常用電源との切換え開閉器であって、その硬質な合成樹脂などの絶縁材から成る器体（２）の下段部には、３個の常用１次側固定端子（３ａ）（３ｂ）（３ｃ）が設置されている。ここには１００／２００Ｖ単相３線式の引込み幹線（４ａ）（４ｂ）（４ｃ）が接続使用される。
【００１６】
又、（５ａ）（５ｂ）（５ｃ）は同じく器体（２）における常用１次側固定端子（３ａ）（３ｂ）（３ｃ）の上段部に設置された３個の２次側固定端子であり、ここには住宅用分電盤の主幹開閉器（６）と分岐開閉器を経由して、電灯やコンセントなどの各種負荷（７）が接続配線される。
【００１７】
他方、（８ａ）（８ｂ）（８ｃ）は上記常用１次側固定端子（３ａ）（３ｂ）（３ｃ）と向かい合う並列状態として、やはり器体（２）の下段部に対応設置された３個の非常用１次側固定端子であり、ここには非常用漏電ブレーカー（９）を介して、非常用電源となるインバーター発電機（１０）が接続使用される。
【００１８】
（１１）は上記常用１次側固定端子（３ａ）（３ｂ）（３ｃ）と非常用１次側固定端子（８ａ）（８ｂ）（８ｃ）との向かい合う相互間に介在する手動切換えスイッチであり、これが図例の場合両固定端子（３ａ）（３ｂ）（３ｃ）（８ａ）（８ｂ）（８ｃ）と対応する３個の可動端子（図示省略）を備えた３連式回動操作レバー（ナイフスイッチ）として、上記器体（２）の最上段部に開口する操作溝（１２）内へ、起伏的な回動自在に軸支されている。
【００１９】
そして、その操作溝（１２）から張り出す操作レバーを、分岐回路の遮断状態にある中立位置から図２、３の矢印（Ｆ）（Ｒ）で示す相反方向へ一定角度だけ回動操作し、その可動端子を常用１次側固定端子（３ａ）（３ｂ）（３ｃ）又は非常用１次側固定端子（８ａ）（８ｂ）（８ｃ）と選択的に接触させることにより、２次側の負荷（７）へ交流電力を供給することができるようになっている。
【００２０】
但し、このような分岐回路の手動切換えスイッチ（１１）としては、図例の回動操作レバー（ナイフスイッチ）のみならず、押しボタンスイッチやその他の各種スイッチ形態を採用することもできる。
【００２１】
（１３）は上記非常用漏電ブレーカー（９）の出力端子（１４ｂ）（１４ｃ）から導出配線された非常用のパイロットランプであり、インバーター発電機（１０）から２次側の負荷（７）へ交流電力が供給中にある非常状態を、その赤色などの点灯によって表示する。（１５）は非常用漏電ブレーカー（９）の開閉スイッチである。
【００２２】
更に、（１６）は上記常用１次側固定端子（３ａ）（３ｂ）（３ｃ）から分岐配線された常用漏電ブレーカーであって、その出力端子（１７ａ）（１７ｂ）には常用のパイロットランプ（１８）が接続配線されており、上記引込み幹線（４ａ）（４ｂ）（４ｃ）から２次側の負荷（７）へ交流電力が供給中にある平常状態を、その青色などの点灯によって表示する。（１９）は常用漏電ブレーカー（１６）の開閉スイッチ、（２０）は電力会社との契約ブレーカーを示している。
【００２３】
本考案の電源切換え装置は上記の構成を備えており、平常時には電源切換え開閉器（１）の手動切換えスイッチ（１１）を図２、３の矢印（Ｆ）で示す方向へ回動操作して、その可動端子を常用１次側固定端子（３ａ）（３ｂ）（３ｃ）と接触させておき、引込み幹線（４ａ）（４ｂ）（４ｃ）から２次側の負荷（７）へ交流電力が供給される状態に保つ。その際、常用漏電ブレーカー（１６）の開閉スイッチ（１９）をオン操作し、その常用パイロットランプ（１８）を点灯させておく。
【００２４】
そして、万一地震や風水害などに因り、上記常用電源が遮断され、停電事故を生じた場合には、非常用電源のインバーター発電機（１０）を作動させて、その非常用パイロットランプ（１８）の点灯を確認後、上記切換え開閉器（１）の手動切換えスイッチ（１１）を図２、３の矢印（Ｒ）で示す方向へ回動操作して、その可動端子を非常用１次側固定端子（８ａ）（８ｂ）（８ｃ）と接触させることにより、非常用電源のインバーター発電機（１０）から２次側の負荷（７）へ交流電力を供給するのである。
【００２５】
そうすれば、電力会社による復旧工事が完了して、常用電源の復電したことを常用パイロットランプ（１８）の点灯によって知ることができ、その後手動切換えスイッチ（１１）を平常状態へ復帰させるべく、図２、３の矢印（Ｆ）で示す方向へ回動操作すれば良く、上記発電機（１０）の有効な使用に役立ち、便利でもある。
【００２６】
図１〜３に示した本考案の電源切換え装置は、住宅用分電盤と別個独立する製品として、その切換え開閉器（１）の器体（２）と常用漏電ブレーカー（１６）並びに非常用漏電ブレーカー（９）を、合板などの絶縁材から成る共通な受け台（２１）へ並列設置した上、その受け台（２１）を硬質な合成樹脂などの絶縁材から特別に作成した専用キャビネット（Ｃ）の本体（２２）内へ取り付け固定する一方、そのキャビネット本体（２２）の開閉カバー（２３）へ上記パイロットランプ（１３）（１８）を並列状態に取り付け固定して、その電源切換え装置を既設住宅の壁面へ便利良く後付け使用できるようになっている。（２４）は上記開閉カバー（２３）に開口する操作窓、（２５）は固定ビスである。
【００２７】
但し、図３と対応する図４から示唆されるように、上記電源切換え開閉器（１）の器体（２）と両漏電ブレーカー（９）（１６）並びに両パイロットランプ（１３）（１８）を、住宅用分電盤（Ｂ）の既設契約ブレーカー（２０）並びに主幹開閉器（６）と一緒に、その両者の相互間へ介在する接続配線状態として組込み一体化することにより、本考案の電源切換え装置を備えた新らしい住宅用分電盤（Ｂ）として提供し、住宅の壁面へ取り付け使用することも可能である。
【００２８】
何れにしても、本考案の手動式電源切換え装置は風水害を受けやすく、停電時の復旧工事が困難な山間地域での一般家庭や集会所、消防の詰め所、災害避難場所、その他の比較的小規模な施設用として、特に有益なものであると言える。
【図面の簡単な説明】
【００２９】
【図１】本考案に係る電源切換え装置の正面図である。
【図２】図１の２−２線断面図である。
【図３】専用キャビネットに電気配線した使用状態の説明図である。
【図４】住宅用分電盤に電気配線した別な使用状態の説明図である。
【符号の説明】
【００３０】
（１）・電源切換え開閉器
（２）・器体
（３ａ）（３ｂ）（３ｃ）・常用１次側固定端子
（４ａ）（４ｂ）（４ｃ）・引込み幹線
（５ａ）（５ｂ）（５ｃ）・２次側固定端子
（６）・主幹開閉器
（７）・負荷
（８ａ）（８ｂ）（８ｃ）・非常用１次側固定端子
（９）・非常用漏電ブレーカー
（１０）・インバーター発電機（非常用電源）
（１１）・手動切換えスイッチ
（１２）・操作溝
（１３）・非常用パイロットランプ
（１４ｂ）（１４ｃ）・出力端子
（１５）・開閉スイッチ
（１６）・常用漏電ブレーカー
（１７ａ）（１７ｂ）・出力端子
（１８）・常用パイロットランプ
（１９）・開閉スイッチ
（２０）・契約ブレーカー
（２１）・受け台
（２２）・キャビネット本体
（２３）・開閉カバー
（２４）・操作窓
（２５）・固定ビス
（Ｃ）・キャビネット
（Ｂ）・住宅用分電盤
【図１】
0003113914.tif 000003
【図２】
0003113914.tif 000004
【図３】
0003113914.tif 000005
【図４】
0003113914.tif 000006